(57)【要約】【課題】  弾性部材を利用して瞬時に組み立てができるとともに、持ち運びが容易となるようコンパクトに折り畳み可能な展示用表示体であって、筒状体の幅方向の中央部においても、筒状体の開きかたを安定させ、美感を向上させる展示用表示体及び展示用表示体に使用される伸縮構造体を提供する。【解決手段】  表板と裏板から構成される筒状体と、筒状体の長手方向の中央付近に設けられる折曲線と、筒状体の内側方向であって、且つ筒状体の幅方向の中央付近の表板と裏板に設置される伸縮構造体と、筒状体の下端部に設置される底部とを備え、筒状体の両側端が近接する方向に弾性部材が付勢することで、伸縮構造体の脚部が筒状体を円弧状に膨出するように押し広げるとともに底部を広げ自立可能とし、筒状体を押圧し、弾性部材を伸張させて脚部を折り畳むとともに底部を折り畳み、折曲線で筒状体を折り曲げることで折り畳み可能としたことを特徴とする展示用表示体。【選択図】  図１
0003164774.tif 000002
【実用新案登録請求の範囲】
【請求項１】
両側端を有するよう表板と裏板とから構成される筒状体と、
前記筒状体における長手方向の中央付近に設けられるとともに、前記筒状体の軸に対してほぼ直交するように形成された１つの折曲線、若しくは前記筒状体における長手方向に離間して設けられるとともに、前記筒状体の軸に対してほぼ直交するように形成された複数の折曲線と、
前記筒状体の内側方向であって、且つ前記筒状体における幅方向の中央付近の前記表板及び前記裏板に設置される伸縮構造体と、
前記筒状体の下端部における前記表板及び前記裏板に設置される底部とを備え、
前記筒状体の前記両側端が近接する方向に前記伸縮構造体に設置される弾性部材が付勢することで、
前記伸縮構造体の脚部が前記筒状体を外側方向へ円弧状に膨出するように押し広げるとともに前記底部を広げ自立可能とし、
前記筒状体を外側方向から押圧し、前記弾性部材を伸張させて前記脚部を折り畳むとともに前記底部を折り畳み、
前記折曲線にて前記筒状体を折り曲げることで折り畳み可能としたことを特徴とする展示用表示体。
【請求項２】
前記伸縮構造体は、
略く字状に屈曲し、対向して配置する２つの脚部と、
両脚部における一端部及び他端部を連結して、前記表板及び前記裏板に固着される固着部と、
前記脚部における屈曲付近で両脚部を連結する弾性部材とを備える請求項１に記載の展示用表示体。
【請求項３】
前記伸縮構造体における前記脚部の一部を折曲させて前記表板及び前記裏板に固着させる支持部を備える請求項２に記載の展示用表示体。
【請求項４】
前記底部は、
自立状態において、前記筒状体の下端部と当接し、折曲線を有する底板と、
前記底板から延設され、前記底板の下方にて重合する重合片と、
前記重合片から延設され、前記底板に形成される貫通孔から前記底板の上方に露呈し、前記表板及び前記裏板に固着される接着片とを備える請求項１乃至請求項３のいずれか１項に記載の展示用表示体。
【請求項５】
前記弾性部材は、環状のゴム又はゴム紐である請求項１乃至請求項４のいずれか１項に記載の展示用表示体。
【請求項６】
略く字状に屈曲し、対向して配置する２つの脚部と、
両脚部における一端部及び他端部を連結して、展示用表示体の表板及び裏板に固着される固着部と、
前記脚部における屈曲付近で両脚部を連結する弾性部材とを備えることを特徴とする展示用表示体に使用される伸縮構造体。
【考案の詳細な説明】
【技術分野】
【０００１】
本考案は、店頭、ショールーム、展示会場等の展示場所に立てる展示用表示体に係るものであって、特に弾性部材を利用して瞬時に組み立てができるとともに、持ち運びが容易となるようコンパクトに折り畳み可能な展示用表示体及び展示用表示体に使用される伸縮構造体に関するものである。
【背景技術】
【０００２】
従来より、弾性部材を利用して組み立てられ、コンパクトに折り畳みが可能な展示用表示体が公知である。例えば、表板と裏板とから構成される筒状体の両側端に１組の断面Ｖ字形板バネを設置し、当該板バネが表板と裏板を外側へ円弧状に膨出するように、筒状体を押し広げる方向に付勢することで、組み立てられるものがある（例えば、特許文献１参照）。
【０００３】
また、表板と裏板とから構成される筒状体の両側端を弾性部材にて連結し、当該弾性部材が筒状体の両側端が近接する方向に付勢することで、表板と裏板を外側へ円弧状に膨出させて、組み立てられるものがある（例えば、特許文献２参照）。
【先行技術文献】
【特許文献】
【０００４】
【特許文献１】特許公報第４０７３３６９号公報
【特許文献２】特許公報第４５３８５００号公報
【０００５】
当該特許文献１に係る構造では、筒状体の両側端を押し広げることで組み立てられるものであるが、筒状体における幅方向の中央部においては、特に保持されているものではない。よって、当該中央部の補強を行う為に、筒状体における内部の上部に保持部材が設置されるものである。しかしながら、板バネにて押し広げられる箇所と保持部材が設置される箇所が異なる為、板バネが設置される箇所における筒状体の中央部においては、筒状体の開きかたが安定しなかったり、撓んだりして美感を損なう虞があった。
【０００６】
当該特許文献２に係る構造では、筒状体の両側端が近接する方向に弾性部材が付勢することで組み立てられるものであるが、特許文献１と同様にして、筒状体の中央部においては、筒状体が撓んだりして美感を損なう虞があった。
【考案の概要】
【考案が解決しようとする課題】
【０００７】
そこで、本考案はこのような問題点を解決するものであって、弾性部材を利用して瞬時に組み立てができるとともに、持ち運びが容易となるようコンパクトに折り畳み可能な展示用表示体であって、筒状体における幅方向の中央部においても、筒状体の開きかたを安定させ、美感を向上させる展示用表示体及び展示用表示体に使用される伸縮構造体を提供することを課題とする。
【課題を解決するための手段】
【０００８】
前記問題点を解決するために、本考案の請求項１に記載の展示用表示体は、両側端を有するよう表板と裏板とから構成される筒状体と、前記筒状体における長手方向の中央付近に設けられるとともに、前記筒状体の軸に対してほぼ直交するように形成された１つの折曲線、若しくは前記筒状体における長手方向に離間して設けられるとともに、前記筒状体の軸に対してほぼ直交するように形成された複数の折曲線と、前記筒状体の内側方向であって、且つ前記筒状体における幅方向の中央付近の前記表板及び前記裏板に設置される伸縮構造体と、前記筒状体の下端部における前記表板及び前記裏板に設置される底部とを備え、前記筒状体の前記両側端が近接する方向に前記伸縮構造体に設置される弾性部材が付勢することで、前記伸縮構造体の脚部が前記筒状体を外側方向へ円弧状に膨出するように押し広げるとともに前記底部を広げ自立可能とし、前記筒状体を外側方向から押圧し、前記弾性部材を伸張させて前記脚部を折り畳むとともに前記底部を折り畳み、前記折曲線にて前記筒状体を折り曲げることで折り畳み可能としたことを特徴とするものである。
【０００９】
また、本考案の請求項２に記載の展示用表示体は、請求項１に記載の展示用表示体において、前記伸縮構造体は、略く字状に屈曲し、対向して配置する２つの脚部と、両脚部における一端部及び他端部を連結して、前記表板及び前記裏板に固着される固着部と、前記脚部における屈曲付近で両脚部を連結する弾性部材とを備えるものである。
【００１０】
また、本考案の請求項３に記載の展示用表示体は、請求項２に記載の展示用表示体において、前記伸縮構造体における前記脚部の一部を折曲させて前記表板及び前記裏板に固着させる支持部を備えるものである。
【００１１】
また、本考案の請求項４に記載の展示用表示体は、請求項１乃至請求項３のいずれか１項に記載の展示用表示体において、前記底部は、自立状態において、前記筒状体の下端部と当接し、折曲線を有する底板と、前記底板から延設され、前記底板の下方にて重合する重合片と、前記重合片から延設され、前記底板に形成される貫通孔から前記底板の上方に露呈し、前記表板及び前記裏板に固着される接着片とを備えるものである。
【００１２】
また、本考案の請求項５に記載の展示用表示体は、請求項１乃至請求項４のいずれか１項に記載の展示用表示体において、前記弾性部材は、環状のゴム又はゴム紐とするものである。
【００１３】
また、本考案の請求項６に記載の展示用表示体に使用される伸縮構造体は、略く字状に屈曲し、対向して配置する２つの脚部と、両脚部における一端部及び他端部を連結して、展示用表示体の表板及び裏板に固着される固着部と、前記脚部における屈曲付近で両脚部を連結する弾性部材とを備えることを特徴とするものである。
【考案の効果】
【００１４】
本考案に記載の展示用表示体では、伸縮構造体が筒状体を押し広げるとともに、表板及び裏板に固着される接着片を介して底部を広げることで自立可能とし、伸縮構造体の弾性部材が付勢力に抗する（伸張する）ことで筒状体の折曲線より折り畳み可能とすることができる。
【００１５】
また、自立させる際、伸縮構造体が筒状体における幅方向の中央部を外側方向へ押し広げるので、筒状体を安定した状態で支持することができる。これにより、筒状体が撓んだりすることがなくなり、美感を向上させることができる。
【００１６】
また、脚部の一部を折曲させて表板及び裏板に固着させる支持部を備えるので、円弧状となる表板及び裏板に沿うようにして確実に固着できるとともに、より確実に筒状体を安定した状態で支持することができる。
【図面の簡単な説明】
【００１７】
【図１】本考案の実施例における展示用表示体の斜視図である。
【図２】本考案の実施例における展示用表示体の拡大平面図である。
【図３】本考案の実施例における展示用表示体の筒状体の展開図である。
【図４】本考案の実施例における展示用表示体の伸縮構造体を構成する脚部構成片、固着部、補強部及び接着部の展開図である。
【図５】本考案の実施例における展示用表示体の伸縮構造体における展開図の補強部を折曲した斜視図である。
【図６】本考案の実施例における展示用表示体の伸縮構造体の斜視図である。
【図７】本考案の実施例における展示用表示体の底部の展開図である。
【図８】本考案の実施例における展示用表示体の底部の折り畳み途中の斜視図である。
【図９】本考案の実施例における展示用表示体の折り畳み状態の斜視図である。
【図１０】本考案の実施例における別実施例の展示用表示体の斜視図である。
【図１１】本考案の実施例における展示用表示体の別仕様の伸縮構造体の斜視図である。
【図１２】本考案の実施例における展示用表示体の更に別仕様の伸縮構造体の斜視図である。
【図１３】本考案の実施例における展示用表示体の配置例の斜視図である。
【考案を実施するための形態】
【００１８】
以下、本考案の実施の形態における展示用表示体を図面に基づいて説明する。
【実施例】
【００１９】
本考案に係る展示用表示体１は、図１及び図２に示すように、筒状体２、底部３及び伸縮構造体４とから構成されている。展示用表示体１は、筒状体２における長手方向の中央付近に設けられるとともに、筒状体２の軸に対してほぼ直交するように形成された１つの折曲線２ｄによって折り畳み可能とされる。また、筒状体２の内側方向に設置される伸縮構造体４によって、筒状体２を外側方向へ略円形状又は略楕円状に押し広げるとともに、底部を広げることで自立可能としたものである。筒状体２には、宣伝、広告等の表示が印刷、貼着等されている。
【００２０】
筒状体２は、例えば、可撓性を有する１枚の厚紙、厚みの薄い段ボール紙等から形成される。図３に示すように、筒状体２の展開図は略長方形状からなり、同一形状の表板２ａ及び裏板２ｂが連設して形成される。裏板２ｂの端部には、表板２ａを接着させる為の接着部２ｃが連設して形成される。
【００２１】
また、表板２ａ及び裏板２ｂには、筒状体２の折り畳みを可能とする折曲線２ｄが形成される。折曲線２ｄは、筒状体２における長手方向の中央付近に設けられるとともに、筒状体２の軸に対してほぼ直交するように形成される。
【００２２】
このようにして形成される図３に示す筒状体２の展開図を表板２ａと裏板２ｂの境界、裏板２ｂと接着部２ｃの境界で表板２ａと裏板２ｂを折曲して、略円形状又は略楕円状とする。後に、接着部２ｃを表板２ａに固着することで筒状体２は組み立てられる。このとき、表板２ａと裏板２ｂの境界は、筒状体２の両側端とされる。
【００２３】
伸縮構造体４は、例えば、可撓性を有する１枚の厚紙、厚みの薄い段ボール紙等と弾性部材８とから構成される。伸縮構造体４を構成する厚紙等の展開図は、図４に示すように、脚部構成片５ａ、固着部６、補強片７及び接着部５ｆが連設して形成される。
【００２４】
接着部５ｆを除く展開図は、展開図の略中央部にて線対称である為、一方側（同図左側）についてのみ説明する。略四角形状に形成される脚部構成片５ａには、左方向に固着部６（同図左側）が延設される。また、脚部構成片５ａの上下方向には、補強片７（同図上下側）が夫々延設される。更に、固着部６の左方向に同一の脚部構成片５ａ（同図左側）が延設される。
【００２５】
夫々の脚部構成片５ａには、固着部６側における端部の中央部から左右方向に略四角形状の支持部５ｂが設けられる。支持部５ｂの周縁には、支持部５ｂと略相似形状の切欠部５ｃが設けられる。また、脚部構成片５ａにおける上下方向の端部には、端部から切込５ｄを介して取付孔５ｅが設けられる。取付孔５ｅには、後述の弾性部材８が取り付けられる。
【００２６】
展開図における略中央部にて線対称とされた他方側の脚部構成片５ａには、右方向に接着部５ｆ（同図右側）が延設される。このようにして形成される展開図において、脚部構成片５ａと補強片７との境界を折曲線Ｐとし、脚部構成片５ａと固着部６との境界、及び脚部構成片５ａ相互の境界を折曲線Ｑとする。
【００２７】
展開図は、図５及び図６に示すようにして組み立てられる。具体的には、図５に示すように、折曲線Ｐにて補強片７を脚部構成片５ａ側へ折曲して、脚部構成片５ａと固着させる。このとき補強片７の形状は、補強片７を折曲した際に支持部５ｂと当接することがないとともに、取付孔５ｅを覆わない形状であれば、特に制限されるものではない。更に、補強片７の一部が取付孔５ｅの周縁、特に切込５ｄを補強する為に切込５ｄに沿うような形状であれば望ましい。
【００２８】
後に、図６に示すようにして、折曲線Ｑにて脚部構成片５ａを折曲し、接着部５ｆを反対側に位置する脚部構成片５ａと接着させて、略六角形状に組み立てる。このとき、隣接する２つの脚部構成片５ａは、略く字状の屈曲可能な脚部５を構成する。
【００２９】
対向して配置される２つの脚部５の両側端には、環状のゴムからなる弾性部材８が設置される。弾性部材８は、脚部５における屈曲付近に配置される切込５ｄを通して４つの取付孔５ｅに設置され、両脚部５を連結する。
【００３０】
このようにして伸縮構造体４は構成され、支持部５ｂは伸縮構造体４の外側方向に露呈した状態となる。この状態において、接着部となる固着部６及び支持部５ｂは、略十字形状となる。
【００３１】
伸縮構造体４は、弾性部材８が伸張することで脚部５が屈曲され、隣接する脚部構成片５ａ同士が当接することで扁平状に折り畳みが可能となる。一方、弾性部材８が付勢することで脚部５を略く字状に復元させ、略六角形状を保持するものである。
【００３２】
伸縮構造体４を組み立てる際の接着部５ｆを設ける箇所は、特に制限されるものではなく、固着部６と連設して設けてもよいものであり、図６のようにして略六角形状に組み立てが可能であればよい趣旨である。
【００３３】
底部３は、例えば、可撓性を有する１枚の厚紙、厚みの薄い段ボール紙等から構成される。底部３の展開図は、図７に示すようにして、略四角形状に形成される底板３ａの上下方向に略Ｌ字形状の重合片３ｃ（同図上下側）が夫々対称に延設される。底板３ａの略中央部には、略四角形状の貫通孔３ｂが設けられる。貫通孔３ｂの長手方向の寸法は、略円形状又は略楕円状に広げられた筒状体２における表板２ａと裏板２ｂの間隔と同等であることが望ましい。また、重合片３ｃには貫通孔３ｂの上下方向に接着片３ｄが夫々延設される。このようにして形成される展開図において、底板３ａにおける上下方向を略二等分する線を折曲線Ｓとし、底板３ａと重合片３ｃとの境界を折曲線Ｒとし、重合片３ｃと接着片３ｄとの境界を折曲線Ｔとする。
【００３４】
底部３における展開図は、図８に示すようにして折り畳まれる。具体的には、折曲線Ｒにて重合片３ｃを底板３ａの下方側へ折曲する。そして、折曲線Ｔにて接着片３ｄを底板３ａ側へ折曲し、貫通孔３ｂの上方へと露出させる。その後、折曲線Ｓにて底板３ａを折曲することで底部３を折り畳むことができる。一方、底部３を広げる際においては、折曲線Ｓにて底板３ａを広げて重合片３ｃに底板３ａを重合させればよい。
【００３５】
このとき、重合片３ｃの形状は、底部３を広げた状態において、底板３ａから露呈することがない形状であれば、特に制限されるものではない。更に、重合片３ｃの形状は、底板３ａと略同等の寸法を有することが確実に重合できるので望ましい。
【００３６】
このようにして形成される底部３及び伸縮構造体４は、図１及び図２に示すように、筒状体２の内側に固着されている。具体的には、伸縮構造体４の固着部６が筒状体２の長手方向に沿うようにして、表板２ａ及び裏板２ｂに固着される。また、伸縮構造体４の支持部５ｂが筒状体２の幅方向に沿うようにして、表板２ａ及び裏板２ｂに固着される。
【００３７】
伸縮構造体４が固着される箇所は、筒状体２の長手方向においては、折曲線２ｄの位置を考慮して、折曲線２ｄと筒状体２における各端部の距離を軸方向に略二等分する箇所であることが望ましい。一方、筒状体２の幅方向においては、筒状体２を均等に押し広げる為に、表板２ａ及び裏板２ｂの中央部であることが望ましい。
【００３８】
また、底部３においては、筒状体２を略円形状又は略楕円状に広げた状態で、筒状体２の下端部と底板３ａを当接させ、接着片３ｄが筒状体２の表板２ａ及び裏板２ｂに沿うようにして固着されている。
【００３９】
展示用表示体１は、次のようにして自立可能となる。折り畳み状態において、伸張していた弾性部材８が筒状体２の両側端が近接する方向に付勢することで、伸縮構造体４における夫々の脚部５が略く字状に復元する。これにより、筒状体２の表板２ａ及び裏板２ｂを外側方向へ略円弧状に膨出するように押し広げる。これに伴い、筒状体２における下端部の接着片３ｄを介して、底部３における折曲線Ｓから底板３ａが押し広げられ、底板３ａは重合片３ｃと重合し、展示用表示体１は略円形状又は略楕円状に自立可能となる。
【００４０】
自立した展示用表示体１は、筒状体２における幅方向の中央部を内側方向へ押圧することで、伸縮構造体４の脚部５が屈曲した状態となる。これにより、伸縮構造体４の弾性部材８が伸張し、隣接する脚部構成片５ａ同士が当接するとともに伸縮構造体４が折り畳まれる。よって、表板２ａと裏板２ｂが合わさり、筒状体２は扁平状となる。筒状体２が扁平状となるとともに、筒状体２における下端部の接着片３ｄを介して、底部３における底板３ａが折曲線Ｓを介して折り畳まれる。後に、筒状体２の折曲線２ｄで折曲することで、図９に示すようにして、展示用表示体１は折り畳み可能となる。
【００４１】
弾性部材８の付勢力については、筒状体２における幅方向の中央部を内側方向へ押圧することで脚部５を容易に屈曲させ、隣接する脚部構成片５ａ同士を当接させるとともに伸縮構造体４を折り畳むことができ、且つ、展示用表示体１を折り畳んだ状態で、筒状体２の重みで折り畳み状態が保持できる程度であることが望ましい。
【００４２】
以上、説明した本考案に係る展示用表示体１によれば、自立させる際、伸縮構造体４が筒状体２における幅方向の中央部を外側方向へ押し広げるので、筒状体２を安定した状態で支持することができる。これにより、筒状体２が撓んだりすることがなくなり、美感を向上させることができる。また、伸縮構造体４を１枚の厚紙等及び環状のゴムの二部材のみから形成し、簡易な構造とした為、コストを低減することができる。
【００４３】
上記実施例においては、筒状体２を略長方形状としたが、人の形状、各種のキャラクターの形状等、適宜形状変更することができるのは勿論である。また、筒状体２の折曲線は、筒状体２の長手方向の寸法に応じて、筒状体２の長手方向に離間して複数本設けることもできる。これに伴い、伸縮構造体４の設置個数も適宜変更することができる。更に、図１０に示すように、筒状体２に貫通孔２ｅを設けて、棚２ｆ等を設置した展示用表示体１ａとすることもできる。
【００４４】
また、筒状体２、底部及び伸縮構造体４の展開図においては、１枚の厚紙等から形成されるものに限られず、複数枚から形成してもよい。更に、弾性部材８においては、環状のゴムに限られることなく、ゴム紐等、合成樹脂製の帯体等であってもよく、特に制限されるものではない。
【００４５】
更に、伸縮構造体４においては、図１１に示すように、１本のゴム紐の端部を対向する脚部５に固着した伸縮構造体４ａとすることもできる。端部の固着においては、接着によるものでもよいし、脚部５に貫通孔を設けて伸縮構造体４ａの外側から抜け止め部材等により固着してもよい。
【００４６】
また、図１２に示すように、対向する脚部５の切欠部５ｃに環状の弾性部材８を設置した伸縮構造体４ｂとすることもできる。伸縮構造体４ａ、４ｂにおいては、脚部５に別途切込５ｄ、取付孔５ｅを設ける必要がなくなる。これにより、補強片７の補強面積を大きくすることができる。
【００４７】
上記伸縮構造体においては、弾性部材８の伸縮により脚部５を屈曲させ、脚部５の伸縮により筒状体２を押し広げたり、畳んだりできる構成であればよい趣旨であり、弾性部材８の設置箇所、設置方法については適宜変更することができるのは勿論である。
【００４８】
更に、図１３に示すように、複数の折曲線を設けて形成した展示用表示体１ｂを離間して配置し、夫々の上端部に設けられた切欠部に伸縮構造体４を設置した筒状体２を橋架することで、略コ字状に配置して使用することもできる。このように配置することで、両者の展示用表示体１ｂの間に展示品等を配置することができる。
【符号の説明】
【００４９】
１      展示用表示体
２      筒状体
２ａ    表板
２ｂ    裏板
２ｃ    接着部
２ｄ    折曲線
２ｅ    貫通孔
２ｆ    棚
３      底部
３ａ    底板
３ｂ    貫通孔
３ｃ    重合片
３ｄ    接着片
４      伸縮構造体
５      脚部
５ａ    脚部構成片
５ｂ    支持部
５ｃ    切欠部
５ｄ    切込
５ｅ    取付孔
５ｆ    接着部
６      固着部
７      補強片
８      弾性部材
Ｐ、Ｑ、Ｒ、Ｓ、Ｔ  折曲線
【図１】
0003164774.tif 000003
【図２】
0003164774.tif 000004
【図３】
0003164774.tif 000005
【図４】
0003164774.tif 000006
【図５】
0003164774.tif 000007
【図６】
0003164774.tif 000008
【図７】
0003164774.tif 000009
【図８】
0003164774.tif 000010
【図９】
0003164774.tif 000011
【図１０】
0003164774.tif 000012
【図１１】
0003164774.tif 000013
【図１２】
0003164774.tif 000014
【図１３】
0003164774.tif 000015